(57)【要約】【課題】ハードディスクドライブと光ディスクドライブを同一筐体に内蔵させたビデオカメラにおいて、本体内部で発生する熱によりハードディスクドライブが温度上昇してしまう問題を解決する。【解決手段】撮像する撮像部と、撮像した画像を表示する表示部６と、撮像した画像を記録するハードディスクドライブ１と、着脱する光ディスクを駆動する光ディスクドライブ９とを備えるビデオカメラであって、表示部６、光ディスクドライブ１、ハードディスク９の順に配置され、光ディスクドライブ９から光ディスクを取り出す際に開く蓋部１０にハードディスクドライブ１が配置されたビデオカメラ。【選択図】  図２
2007336565.tif 000002
【特許請求の範囲】
【請求項１】
撮像する撮像部と、
撮像した画像を記録するハードディスクドライブと、
着脱する光ディスクを駆動する光ディスクドライブと、
前記撮像部に撮像させ、撮像した画像を処理して前記ハードディスクドライブ又は前記光ディスクドライブで記録させる制御部とを備えるビデオカメラであって、
前記制御部を載せた基板、前記光ディスクドライブ、前記ハードディスクが前記光ディスクとハードディスクの回転軸の方向に順に配置されたビデオカメラ。
【請求項２】
請求項１のビデオカメラであって、
前記光ディスクドライブから光ディスクを取り出す際に開く蓋部に前記ハードディスクドライブが配置されたビデオカメラ。
【請求項３】
請求項２のビデオカメラであって、
前記表示部と前記光ディスクとの間に制御基盤を配置し、
前記蓋部が開閉するヒンジ部に前記ハードディスクドライブと前記基盤とを接続する回線が配置されたビデオカメラ。
【請求項４】
請求項３のビデオカメラであって、
前記回線は、前記光ディスクドライブに装着された光ディスクと前記ヒンジ部のヒンジ軸との交点からずれた位置に配置されたビデオカメラ。
【請求項５】
請求項１のビデオカメラであって、
前記光ディスクドライブの回転中心と前記ハードディスクの回転中心とがずれているビデオカメラ。
【請求項６】
請求項５のビデオカメラであって、
前記光ディスクドライブの光ピックアップの光軸と前記ハードディスクドライブの磁気ディスクとが交差しない位置に配置されたビデオカメラ。
【請求項７】
請求項５又は６のビデオカメラであって、
前記光ディスクの光ピックアップと前記ハードディスクドライブとの最短距離の間に磁気シールドが配置されたビデオカメラ。
【請求項８】
請求項１から７のいずれかのビデオカメラであって、
前記撮像部で撮像した画像を表示する表示部を前記制御部に対して前記ディスクドライブと反対側に有し、
前記表示部の表示面は、前記光ディスク及び前記ハードディスク側と当該ビデオカメラ側とに回転可能であるビデオカメラ。
【請求項９】
撮像する撮像部と、
撮像した画像を表示する表示部と、
撮像した画像を記録するハードディスクドライブと、
着脱する光ディスクを駆動する光ディスクドライブとを備えるビデオカメラであって、
前記光ディスクドライブから光ディスクを取り出すときに開く蓋部に前記ハードディスクドライブが配置されたビデオカメラ。
【請求項１０】
請求項９のビデオカメラであって、
撮影者の手を通すグリップベルトが、前記蓋部内の前記ハードディスクよりも撮影者の手を通す側に配置されたビデオカメラ。
【発明の詳細な説明】
【技術分野】
【０００１】
技術分野は、ビデオカメラに関し、特にハードディスクドライブと光ディスクドライブの配置構成に関するものである。
【背景技術】
【０００２】
近年、ビデオカメラはビデオテープ、光ディスク、ハードディスク、メモリカードといった種々の記録媒体にデータを保存するタイプが存在している。複数の記録媒体に映像を記録するための複数の記録手段を併せ持つビデオカメラも存在し、ビデオテープとメモリカードの組み合わせ、光ディスクとメモリカードの組み合わせ、ハードディスクとメモリカードの組み合わせた構成のビデオカメラが存在する。
【０００３】
特許文献１には、「ビデオカメラレコーダは、前側のレンズ部と後側のビューファイン
ダと後側から見て右側のグリップ部と後側から見て左側の液晶モニタとを有し、後側から見て右側に配置されたテープカセットの装着部のための蓋部に外部メモリを挿入するためのスロット部を設け、このスロット部の入口は前側に設けられている。」との記載がある
（要約参照）。また、公報００１１段落には「外部メモリ３０には、ＰＣカード、ピクチ
ャーカード、フロッピディスク等の各種のカード型又はディスク型記憶媒体が含まれる。
」との記載がある。
【０００４】
また、特許文献２には、「デジタルビデオカメラ１１は、…撮像データをハードディス
ク装置に記録する。…記録装置２０は側面に設けたコネクタ２１で、デジタルビデオカメラ１１と直接的な接続を可能にして選択された画像の撮像データを取り込んで光ディスクｄに記録する。」との記載がある（要約参照）。
【０００５】
【特許文献１】特開平１１−３３１６５６号公報
【特許文献２】特開２００５−２７７９５８号公報
【発明の開示】
【発明が解決しようとする課題】
【０００６】
近年、データのデジタル化が進み、画質が向上するなか、テープに代わってランダムアクセス可能なディスクや半導体メモリに対する要求が大きい。
【０００７】
特に、動画はデータ容量が大きく、近年の高画質化もともなって、長時間の記録を行う為には記録容量の大きな記録媒体が必要になる。
【０００８】
光ディスクは、半導体メモリよりは大容量且つ安価であり、交換可能な記録媒体である
。複数枚で長時間の記録に対応が可能であり、長期保存にも向くが、１枚の光ディスクでは長時間の連続記録はできない。光ディスクを交換しているの間は記録が途切れてしまう
。
【０００９】
ハードディスクは、記録容量が大きく長時間の連続記録に適しているが、ハードディスクが交換できない為、残容量が無くなったり少なくなった場合には記録済みの映像データを他の記録媒体にダビングし、ハードディスクの映像データを消去する必要がある。特にビデオカメラで記録した映像データは消去せず残しておきたいので、このハードディスクの映像データを光ディスクへダビングして、ハードディスクの映像データを消去するということを頻繁に行う必要がある。このため、ハードディスクを駆動するハードディスクドライブと光ディスクを駆動する光ディスクドライブを同一筐体に内蔵して、長時間連続して記録した映像データを簡単に光ディスクへダビングができることのメリットは大きい。
【００１０】
しかしながら、特許文献１のビデオカメラにおいては、光ディスクとハードディスクとの組み合わせについて配慮されていない。また、撮影者に持ち易い配置についても不十分な点がある。
【００１１】
また、ハードディスクドライブと光ディスクドライブを同一筐体に内蔵させたビデオカメラを実現させるには、ビデオカメラ内部で発生する熱の問題を解決する必要がある。ビデオカメラ内部での主な熱源には、基板に搭載されているＣＰＵ（Central Processor Un
it）やＩＣ等の半導体や、ハードディスクドライブ、光ディスクドライブがある。特に、ハードディスクドライブは駆動系から発熱するうえ高温環境に弱い為、熱を考えたハードディスクドライブと光ディスクドライブの配置構成が重要である。
【００１２】
しかしながら、特許文献２のビデオカメラにおいては、ハードディスクドライブが内蔵されるビデオカメラ側筐体と光ディスクドライブが内蔵される別筐体に分かれており、ハードディスクドライブと光ディスクドライブを同一筐体に内蔵することには配慮されていない。
【課題を解決するための手段】
【００１３】
上記課題は、例えば特許請求の範囲の発明によって解決される。
【発明の効果】
【００１４】
上記手段によれば、例えば撮影者に使い勝手のよいビデオカメラを提供することができる。
【００１５】
上記以外の課題、手段、効果は後述する実施例によって明らかにされる。
【発明を実施するための最良の形態】
【００１６】
以下、本発明に好適な実施形態をビデオカメラを例として説明する。なおビデオカメラは、動画だけでなく静止画を撮影できてもよい。また本発明は、動画のデータが大きいことからビデオカメラに好適であるが、他装置、例えばスチルカメラ、オーディオプレーヤ
、携帯型ＰＣなどにも用いることができる。
【実施例１】
【００１７】
ビデオカメラの外部構成例を図１、図２を用いて説明する。
【００１８】
図１はビデオカメラの前方斜視図、図２はビデオカメラの後方斜視図である。
【００１９】
ビデオカメラは、被写体の光学像を入射するレンズ部２、音声を集音するマイク部３、外装部であるレンズカバー４、フロント部５等で構成されるフロント側と、撮影・再生時に映像等を表示する表示部６、表示部支点部７、本体ケース８等で構成される表示部側と
、蓋部であるディスクカバー９、ハードディスクドライブカバー１０及び、Ｒケース１１等で構成されるグリップ側と、撮影・再生時に映像を表示するＥＶＦ（Electric View 
Finder）部１３、バッテリー（図示せず）等で構成されるリヤ側とに分かれ構成される。レンズ部２の奥には光学ズームやアイリス（絞り）を調整する機構があり、入射された光学像を撮像して電気信号に変換する撮像素子（ＣＣＤ（Charge Coupled Devices）センサやＣＭＯＳ（Complementary Metal Oxide Semiconductor）センサ）がある。表示部６と
ＥＶＦ部１３は同じＬＣＤ（Liquid Crystal Display）やＥＬＤ（Electro Luminescence
Display）で構成されていてもよいし他のディスプレイで構成されていてもよい。
【００２０】
表示部６は、表示部支点部７により開閉、回転させる事ができ、使用状態に適した角度に調整可能となっている。すなわち表示部６の表示面を図１に示すようにビデオカメラの内部側に向けて外側に露出させないようにしたり、逆に表示面を外側に露出する向きにしたり、撮影者がリヤ側から表示面を見られるようにしたりできる。表示部６が閉じている時に隣接する面には、主に再生時に使用される再生操作ボタン１２が配置されている。リヤ側にあるモード切替えノブ１４は電源の入切と記録媒体及び撮影モードすなわちハードディスクドライブと光ディスクの動画／静止画の切替えを行う。録画ボタン１５は録画の開始、停止ボタンである。グリップ側にはビデオカメラを保持する際に、万が一手を緩めてもカメラが落下しないように、ビデオカメラの底面側から手を通して手の甲又は手首を押さえるグリップベルト１６が設けられている。
【００２１】
グリップ側のＲケース１１は光ディスクに動画を記録するための光ディスクドライブを保護しており、ディスクカバー９を開くことにより光ディスクドライブへの光ディスクの装着及び取り出しができるようになっている。光ディスクとしては、ＤＶＤ−ＲやＤＶＤ＋ＲＷ等の各種ＤＶＤはもちろん、ＢＤ（Blu-ray Disc）やＨＤ（High Definition）−
ＤＶＤであってもよい。大きさは直径８ｃｍの光ディスクを例示するが、これに限られない。
【００２２】
また、ディスクカバー９の内面側には動画を記録するためのハードディスクドライブ１が配置され、ハードディスクドライブカバー１０によりハードディスクドライブ１を覆うことにより、ハードディスクドライブ１を保護している。尚、ハードディスクドライブ１は熱伝導効率の低い材質で成型されたハードディスクドライブダンパーを介して取り付けている。ハードディスクドライブ１に対して基板（ＣＰＵ等）からの熱が伝わりにくいよう、間に光ディスクドライブ２１を配置している。
【００２３】
ここで、ハードディスクドライブカバー１０はハードディスクドライブ１の収納される部分が膨らむ構造となっており、また、グリップベルト１６がハードディスクドライブ１よりも下部（底面側）に配置されているため、グリップベルト１６に撮影者の手を通して本ビデオカメラを保持したときにハードディスクドライブカバー１０の膨らんだ部分が手のひらに当たり、また、膨らんだ手の甲（手のひら）がグリップベルト１６によって押さえつけられずグリップベルト１６は手首もしくは手の甲の手首に近い位置に当たるようになっているので、持ち易くなっている。後述する図５を参照するとグリップベルト１６の両端を留めるベルトホルダ３２ａ及び３２ｂの上部を結んだ線がハードディスクドライブ１の下部よりも底面側（下側）にあることが分かる。また、ハードディスクドライブ１をグリップ側の蓋部に配置したので、ハードディスクドライブ１の重み分重心が手のひら側に移動し扱いやすくなっている。また、ハードディスクドライブ１は、低温（零下等）に起動しない。本実施例の構成では、手の体温で温められるので、例えばスキー場等でカメラが冷えてしまった場合にしばらくは低温に比較的強い光ディスクで記録しておき、その間に手でハードディスクが温まって撮影が可能となる。
【００２４】
なお、本実施例では、ビデオカメラを底面側から手で支える構成を例示したためグリップベルト１６が底面と完全に水平ではないものも沿った方向に配置されているが、ビデオカメラをリヤ側から保持する構造であってもよい。この場合、グリップベルト１６は底面と沿った方向というよりは底面方向に対しては鉛直方向に近く、リヤ側に沿った方向に配置される。この場合には、ハードディスク１よりもグリップホルダがリヤ側、すなわち撮影者が手を通す側に配置されることが好ましい。
【００２５】
ビデオカメラの内部構成例について、図３から図７を用いてさらに説明する。
【００２６】
図３は、ビデオカメラの全体の分解図である。
【００２７】
ビデオカメラ中心部に画像信号処理や各種制御等本ビデオカメラのメインシステムに関する電気部品を搭載している第一本体基板１７が配置されており、金属製のメカフレーム１９に固定されている。第一本体基板１７には各種制御用のマイコンや画像信号処理用のＩＣ等の半導体各種電気部品が搭載されており、この電気部品による消費電力が大きく発熱している。第一本体基板１７の表示部６側には、静止画データを記録する為の、熱に強く駆動部のない記録手段であるメモリカードスロット１８が設けられている。またメカフレーム１９から見て第一本体基板１７の反対側（グリップ側）には、光ディスクドライブ２１を制御・駆動させる電気部品と電源回路用の電気部品を搭載する第二本体基板２０及び、光ディスク２２を装着及び記録／再生するための光ディスクドライブ２１が配置されている。尚、第二本体基板２０は搭載されている電気部品から発熱している。光ディスクドライブ２１のグリップ側には、ディスクカバー９を閉じた状態に保持するためのロック機構（図示せず）を設けてある外装部であるＲケース１１、ディスクカバー９を開閉するための開閉機構のヒンジ部２４とディスクカバー９が配置されている。
【００２８】
ディスクカバー９に配置されたヒンジ部２４には光ディスク２２のキズ防止、及び騒音低減用にクッション２３が貼り付けられている。そのクッション２３とＲケース１１の間に光ディスク２２が配置されるようになっている。光ディスク２２は光ディスクドライブ２１によって固定される。また、ディスクカバー９に設けられた引掛け部９ｂがＲケース１１に設けられたロック機構によって保持されるとディスクカバー９は閉状態となり、ロック機構から引掛け部９ｂが外れるとヒンジ部２４によりディスクカバー９が開状態となり、光ディスク２２の交換が可能となる。ヒンジ部２４のうち、回動する軸をヒンジ軸２４ｂとも呼ぶ。
【００２９】
ディスクカバー９とハードディスクドライブ１の間には、光ディスクドライブ２１に設けられた光ピックアップからの磁力を低減する為の略Ｌ字型の磁気シールド板２５を配置している。ハードディスクドライブ１には記録情報を第一本体基板１７に転送する為のＦＰＣ（Flexible Painted Circuit）２７がコネクタ１ａを介して接続されている。さらに
、落下衝撃時にハードディスクドライブ１を保護するために、ハードディスクドライブ１は落下衝撃吸収材のハードディスクドライブダンパー２６で外周を覆ってディスクカバー９のくぼみ９ａに収納されており、さらに外部からの接触を保護するために外装部であるハードディスクドライブカバー１０で覆っている。
【００３０】
図４は、ビデオカメラをリヤ側から見た断面図である。
【００３１】
メカフレーム１９の液晶表示側には第一本体基板１７、グリップ側には第二本体基板２０が取り付けられており、第二本体基板２０側に光ディスクドライブ２１、外装部であるＲケース１１が配置されている。Ｒケース１１の下部にはディスクカバー９を取り付けたヒンジ部２４が取り付けられており、上部にはディスクカバー９の引掛け部９ｂがロック機構で保持されるようになっており、上部からＡ方向に開閉する構成となっている。ユーザは光ディスク２２を取り出す場合、イジェクトボタン等を操作し、ディスクカバー９を開いて光ディスクドライブ２１に装着されている光ディスク２２を取り出す。なお、本実施例では開閉する箇所を上側としたが、例えばフロント側であってもよい。
【００３２】
ディスクカバー９は開閉機構のヒンジ部２４とのＣ部とロック機構とのＢ部で、本体側のＲケース１１と繋がっている為、本体側の第一本体基板１７や第二本体基板２０等からハードディスクドライブ１側への熱伝導経路が少なく、本体側で発熱した熱をハードディスクドライブ１側に伝えにくい構成となっている。
【００３３】
ディスクカバー９のくぼみ９ａにはハードディスクドライブダンパー２６で外周を覆ったハードディスクドライブ１が収納され、さらに外部との接触から保護するためにハードディスクドライブカバー１０でハードディスクドライブ１を覆っている。ここで、ハードディスクドライブダンパー２６を圧縮状態で固定することで、ハードディスクドライブ１をフローティング状態にし、保持時に発生する振動や落下時衝撃を吸収させる構成となっている。
【００３４】
また、ハードディスクドライブ１と第一本体基板１７とはＦＰＣ２７で接続されている
。ハードディスクドライブ１のコネクタ１ａから光ディスク２２及び光ディスクドライブウ２１の下部を通って第一本体基板１７のコネクタ１７ａに接続されている。
【００３５】
ところで、ユーザがビデオカメラをグリップ側から落下した場合、グリップ側に配置されたグリップベルト１６により落下衝撃は吸収されることも期待できる。そこで、本実施例では表示部側からの衝撃を減少させるべく、ハードディスクドライブダンパー２６のディスクカバー９側方向の厚みはハードディスクドライブダンパーより厚くしている。例えば、ハードディスクドライブカバー１０側の厚みは１．７ｍｍ、ディスクカバー９側の厚みは１．８ｍｍとしている。
【００３６】
また、ディスクカバー９でハードディスクドライブ１の占有する空間を、第一本体基板１７や第二本体基板２０等が収納されている本体側の内部空間と別にする構成としている
。この構成により発熱の大きな本体側からの熱を、発熱の小さなハードディスクドライブ１側に伝えにくくし、ハードディスクドライブ１側の空間温度の上昇を本体側の内部空間より低く抑える効果がある。すなわち、第一本体基板１７や第二本体基板２０は発熱し、また隣接する表示部６も発熱することから、ハードディスクドライブ１を第一本体基板１７や第二本体基板２０近傍に配置することは、ハードディスクドライブ１の動作や寿命に影響を与えることが考えられるため、このようにハードディスクドライブ１を本体側から離れたところ、さらには間に隔壁となるものを配置して別空間にすることが望ましい。またハードディスクドライブダンパー２６は熱伝導効率の低いものを使用することで、本体側からディスクカバー９に伝わった熱のハードディスクドライブ１への熱伝導を抑えることができる。
【００３７】
また、光ディスク２２は本体側の基板等の発熱部からの熱で片面が温度上昇するが、反対面側も発熱するハードディスクドライブ１の熱により温度上昇するので、光ディスク２２の両面の温度差を小さくでき、光ディスクの表裏の温度差によって光ディスク２２が反ってしまうという問題を解決することもできる。
【００３８】
また、ハードディスクドライブ１をグリップ側に配置することで、表示部６側に掛かっていたカメラの重心が、グリップ側に寄ることで、ユーザはビデオカメラの保持がしやすく、扱いやすくなる効果がある。さらに、ハードディスクドライブ１をグリップ側に配置することで、ハードディスクカバー１０に膨らみ形状ができ、ユーザの手にフィットすることで、保持がしやすく、録画時の手ぶれ補正の効果もある。
【００３９】
以上のことから、ディスクカバー９の外面側にハードディスクドライブ１を配置することで、本体内部の主に本体基板で発生する熱のハードディスクドライブ１への伝導率を抑えることで、ハードディスクドライブ１の温度上昇を低減する効果がある。また低温下においてもディスクカバー９及びハードディスクドライブカバー１０はビデオカメラ撮影時保持部となっている為、手で保持することで、体温によりディスクカバー９及びハードディスクドライブカバー１０を通して加温し、書き込みエラー発生を低減できる。
【００４０】
また、図４に示すように、ハードディスクドライブ１のコネクタ１ａに接続されたＦＰＣ２７の一方はディスクカバー９に設けられた穴９ｃを通り、ディスクカバー９とヒンジ部２４の間を通り、ヒンジ部２４とアンダーピース２８の間を通り、またメカフレーム１９の下を通り、第一本体基板１７に設けてあるコネクタ１７ａに接続される構成となる。
【００４１】
図５は、ビデオカメラをグリップ側から見た透視図である。尚、図５ではハードディスクドライブカバー１０とグリップベルト１６を外した状態を示している。
【００４２】
図５に示すように、ハードディスクドライブ１のコネクタ１ａに接続されたＦＰＣ２７をグリップ側から見て、光ディスク２２（点線）の中心部よりリヤ側に配置して、光ディスク２２の下の底面側内部を通り第一本体基板１７に接続させる構成としている。ＦＰＣ２７を可動部である光ディスク２２の下を通す場合、お互いが振動、衝撃等によりぶつからないようにお互いの距離を所定の寸法以上（例えば０．５ｍｍ以上）離して配置することが求められる。そのため、ＦＰＣ２７を光ディスク２２の中心部の下ではなく、中心を外れた位置にすると、お互いの距離を離すことができる。このように光ディスクの中心から外れた位置でＦＰＣを通す構成にすることで、本ビデオカメラの高さを低く出来る効果がある。
【００４３】
次に、ハードディスクドライブの取付け例について、図６を用いて説明する。
【００４４】
図６は、ビデオカメラの蓋部の構成図である。
【００４５】
落下衝撃時にハードディスクドライブ１を保護するために、ハードディスクドライブ１はハードディスクドライブダンパー２６で外周を覆っており、さらに外部との接触から保護するためにハードディスクドライブカバー１０でハードディスクドライブ１を覆っている。ハードディスクドライブダンパー２６を圧縮状態で、固定することで、ハードディスクドライブ１をフローティング状態にすることで、保持時に発生する振動や落下時衝撃を吸収させる構成となっている。ハードディスクドライブカバー１０は爪１０ａでディスクカバー９に仮固定される。またディスクカバー９の表示部側に設けてあるヒンジ２４ａに貼り付けられているクッション２３から、ハードディスクドライブカバー１０に設けられたネジボス１０ｂ（２箇所）とをネジ３０によりネジ止めすることにより固定し、さらに外側からハードディスクドライブカバー１０のネジ止め穴１０ｃとディスクカバー９をネジ３１によりネジ止めする構成となっている。このことから、ハードディスクドライブ１の不具合時での交換及びメンテナンスを容易に行える構成となっている。またハードディスクドライブカバー１０の表面処理を替えることで、デザインの自由度を広げられる効果もある。
【００４６】
ビデオカメラの磁気シールド板２５の構成を、図７を用いて説明する。
【００４７】
図７は、ビデオカメラを上面からから見た断面図である。尚、図７では光ディスクドライブ２１に配置される電磁力で対物レンズを駆動するピックアップ部２９の位置が、光ディスク２２の最内周にきているときの図である。
【００４８】
このように、光ディスクドライブ２１の回転面とハードディスクドライブ１の回転面とは略並行して配置されており、それらの回転面が一部被っている（接触しているわけではない）が、それぞれの回転軸がずれていて交差しない。また、光ディスクドライブ２１のピックアップ部２９とハードディスクドライブ１の記録面とがずれていて交差しない。
【００４９】
光ディスクドライブメカ２１に配置されるピックアップ部２９は、光ディスク２２の中心部からフロント側（矢印Ｂ方向）に移動する構成となっている。光ディスクドライブ２１のピックアップ部２９とハードディスクドライブ１との間のディスクカバー９のくぼみ９ａに略Ｌ字型の磁気シールド板２５が配置されている。ピックアップ部２９とハードディスクドライブ１の距離が近いほどハードディスクドライブ１に書き込みエラーといった悪影響を及ぼす。ピックアップ部２９が光ディスク２２の最内周にいる時が最もハードディスクドライブ１との距離が近くなり、最外周側に移動するにつれて、磁気の影響は減少する。そのため、ハードディスクドライブ１をピックアップ部２９より遠くなる、ディスクカバー９のリヤ側に配置するようにくぼみ９ａを設けることで、ピックアップ部２９の磁気部からハードディスクドライブ１を遠ざけている。さらに、光ディスクドライブメカ２１のピックアップ部２９とハードディスクドライブ１との間のディスクカバー９のくぼみ９ａに略Ｌ字型の磁気シールド板２５が配置して、ピックアップ部２９からの影響を低減している。また、ピックアップ部２９は光ディスク２２の中心部よりリヤ側には移動しないので、光ディスク２２の中心部よりリヤ側には磁気シールド板２５は必要ないことから、光ディスク２２の中心部よりリヤ側には磁気シールド板を設けていない。これにより
、磁気シールド板２５の大きさをできるだけ小さくできる効果がある。
【００５０】
本実施例では、光ディスクドライブと駆動用の回路基板が別の場合で説明したが、光ディスクドライブに駆動用の回路基板を含めたものでも構わない。
【００５１】
本実施例では、光ディスクを取り出すための開閉する蓋部にハードディスクドライブを設けた場合で説明したが、光ディスクを取り出すためにトレイを出し入れするいわゆるフロントローディングタイプのビデオカメラの場合でも、光ディスクドライブの光ディスク装着側に前記ハードディスクドライブを配置する適用可能である。
【００５２】
本実施例では、光ディスクドライブの外側（光ディスクドライブに対して表示部６や基板１７及び２０の反対側）にハードディスクドライブを配置したが、光ディスクの内側（
基板２０との間、又は、表示部６と基板１７との間など）にハードディスクドライブを配置してもよい。ただし、この場合にはＬＣＤ、基板、光ディスクからの熱がハードディスクドライブに影響を与えることも懸念されるため、上述の利点を有する光ディスクの外側に設けるほうが好ましい。
【図面の簡単な説明】
【００５３】
【図１】ビデオカメラの前方斜視図例
【図２】ビデオカメラの後方斜視図例
【図３】ビデオカメラの全体の分解図例
【図５】ビデオカメラをグリップ側から見た図例
【図４】ビデオカメラをリヤ側から見た断面図例
【図６】ビデオカメラの蓋部の構成図例
【図７】ビデオカメラを上面からから見た断面図例
【符号の説明】
【００５４】
１…ハードディスクドライブ、１ａ…コネクタ、２…レンズ部、３…マイク部、４…レンズカバー、５…フロント部、６…表示部、７…表示部支点部、８…本体ケース、９…ディスクカバー、９ａ…くぼみ、９ｂ…引掛け部、９ｃ…穴、１０…ハードディスクドライブカバー、１０a…爪、１０ｂ…ネジボス、１０ｃ…ネジ止め穴、１１…Ｒケース、１２…
再生操作ボタン、１３…ＥＶＦ部、１４…モード切替ノブ、１５…録画ボタン、１６…グリップベルト、１７…第一本体基板、１７a…コネクタ、１８…メモリカードスロット、
１９…メカフレーム、２０…第二本体基板、２１…光ディスクドライブ、２２…光ディスク、２２a…光ディスクの外形、２３…クッション、２４…ヒンジ部、２５…磁気シール
ド板、２６…ハードディスクドライブダンパー、２７…ＦＰＣ、２８…アンダーピース、２９…ピックアップ部、３０、３１…ネジ
【図１】
2007336565.tif 000003
【図２】
2007336565.tif 000004
【図３】
2007336565.tif 000005
【図４】
2007336565.tif 000006
【図５】
2007336565.tif 000007
【図６】
2007336565.tif 000008
【図７】
2007336565.tif 000009